(57)【要約】【課題】本発明は、整流回路を形成するダイオードにリカバリー電流が流れることにより発生するノイズを抑えることができる無接触給電設備の２次側受電回路を提供することを目的とする。【解決手段】高周波電流を流す１次側誘導線路１に対向して誘導線路１より起電力が誘起されるピックアップコイル２を設け、このピックアップコイル２に誘導線路１の周波数に共振する共振回路４を形成する共振コンデンサ３を接続し、共振回路４に並列に共振回路４より出力される電流を整流するダイオードからなる（全波）整流回路６を接続し、整流回路６に電流制限用コイル７を介して電圧コンデンサ８を接続し、電圧コンデンサ８に並列に負荷１０を接続し、共振回路４に並列に中間タップ２１ａを有すクランプ用コイル２１を接続し、中間タップ２１ａを第２ダイオード２２を介して電圧コンデンサ８に接続する構成とする。【選択図】図１
2008271658.tif 000002
【特許請求の範囲】
【請求項１】
高周波電流を流す１次側誘導線路に対向して前記誘導線路より起電力が誘起されるピックアップコイルを設け、前記コイルに誘起される起電力を、消費電力が変動する負荷へ供給する無接触給電設備の２次側受電回路であって、
前記ピックアップコイルに直列に接続され前記誘導線路の周波数に共振する共振回路を形成する共振コンデンサと、
前記共振回路に並列に接続され、共振回路により発生する電圧を整流する、第１ダイオードからなる整流回路と、
前記負荷に並列に接続されている電圧コンデンサと、
一端が前記整流回路の一方の出力端に接続され、他端が前記電圧コンデンサと負荷の接続点に接続されている電流制限用コイルと、
前記共振回路に並列に接続されているクランプ用コイルと、
アノードが前記クランプ用コイルの中間点に接続され、カソードが前記電流制限用コイルと電圧コンデンサの接続点に接続されている第２ダイオード
を備えたことを特徴とする無接触給電設備の２次側受電回路。
【請求項２】
高周波電流を流す１次側誘導線路に対向して前記誘導線路より起電力が誘起されるピックアップコイルを複数設け、これらピックアップコイルに誘起される起電力を、消費電力が変動する負荷へ供給する無接触給電設備の２次側受電回路であって、
前記各ピックアップコイルにそれぞれ直列に接続され前記誘導線路の周波数に共振する共振回路を形成する共振コンデンサと、
前記各共振回路の間に直列に接続され、各共振回路間を接続状態または開放状態とする切換手段と、
前記共振回路にそれぞれ並列に接続され、共振回路により発生する電圧を整流する、第１ダイオードからなる整流回路と、
前記負荷に並列に接続されている電圧コンデンサと、
一端が前記各整流回路の一方の出力端を接続した接続点に接続され、他端が前記電圧コンデンサと負荷の接続点に接続されている電流制限用コイルと、
前記切換手段を制御することにより、前記負荷に印加される出力電圧を制御する電圧制御手段と、
前記切換手段により接続される共振回路群の両端に接続されているクランプ用コイルと、
アノードが前記クランプ用コイルの中間点に接続され、カソードが前記電流制限用コイルと電圧コンデンサの接続点に接続されている第２ダイオード
を備えたことを特徴とする無接触給電設備の２次側受電回路。
【請求項３】
前記切換手段は、
一次側巻線が、前記各共振回路の間に直列に接続されているトランスと、
前記トランスの二次側巻線に接続されている整流器と、
前記整流器の両出力端間に接続されているスイッチング手段と
を備え、
前記電圧制御手段は、前記スイッチング手段を開放状態と接続状態することにより、前記負荷に印加される出力電圧を制御すること
を特徴とする請求項２に記載の無接触給電設備の２次側受電回路。
【発明の詳細な説明】
【技術分野】
【０００１】
本発明は、無接触給電設備の２次側受電回路に関するものである。
【背景技術】
【０００２】
従来の無接触給電設備の２次側受電回路の一例が、特許文献１に開示されている。
この特許文献１に開示されている無接触給電設備の２次側受電回路は、図４（ａ）に示すように、例えば１０ｋＨｚほどの高周波電流を流す１次側誘導線路１に対向して誘導線路１より起電力が誘起されるピックアップコイル２を設け、このピックアップコイルに誘起される起電力を、消費電力が変動する負荷１０へ供給する回路である。
【０００３】
そして、２次側受電回路は、ピックアップコイル２に直列に接続され、誘導線路１の周波数に共振する（直列）共振回路４を形成する共振コンデンサ３と、共振回路４に並列に接続され、共振回路４により発生する電圧を整流する４個の第１ダイオード６ａから形成される整流回路（全波整流回路）６と、一端が整流回路６のプラス側出力端に接続されている電流制限用コイル７と、一端が電流制限用コイル７の他端に接続され、他端が整流回路６のマイナス側出力端に接続されているともに、負荷１０に並列に接続されている電圧コンデンサ（出力コンデンサ）８を備えている。
【０００４】
以下に、上記２次側受電回路の構成における作用を説明する。
例えば１０ｋＨｚほどの高周波電流が誘導線路１に供給されると、この誘導線路１に発生する磁束により、ピックアップコイル２に誘導起電力が発生し、ピックアップコイル２が接続された共振回路４より出力された電流は整流回路６で整流され、整流回路６から出力された電流により電圧コンデンサ８が充電され、負荷１０へ供給される。
【特許文献１】特開平１１−１７８１０４号公報
【発明の開示】
【発明が解決しようとする課題】
【０００５】
しかし、従来の無接触給電設備の２次側受電回路では、整流回路６に印加される電圧の極性が切り換わる瞬間に、図４（ａ）にで示すように、負荷１０側から第１ダイオード６ａにリカバリー電流ｉＲが流れ、ピックアップコイル２の両端に高電圧が瞬間的に発生し、続いて振動電圧が発生する。すなわち、ピックアップコイル２のインダクタンスをＬ、リカバリー電流ｉＲをｉ、リカバリー時間をｔとすると、ピックアップコイル２に誘起される電圧ＶＬは、
ＶＬ＝Ｌ（ｄｉ／ｄｔ）
の式で示され、リカバリー時間ｔはnｓの単位で短いので、リカバリー電流ｉＲが流れたときピックアップコイル２に誘起される電圧ＶＬは高電圧（例えば、１０００ｖ）となる。
【０００６】
このように、整流回路６に印加される電圧の極性が切り換る毎に、図４（ｂ）に示すように、共振回路４の電圧Ｖは高電圧となり、振動電圧が発生し、これら高電圧と振動電圧が大きなノイズとなって負荷１０や周りの環境に影響を与え、さらに前記高電圧に耐える部品を用意しなければならないという問題があった。
【０００７】
そこで、本発明は、ダイオードで形成される整流回路を備えた無接触給電設備の２次側受電回路において、ダイオードにリカバリー電流が流れることにより発生するノイズを抑えることができる無接触給電設備の２次側受電回路を提供することを目的としたものである。
【課題を解決するための手段】
【０００８】
前述した目的を達成するために、本発明のうち請求項１に記載の発明は、高周波電流を流す１次側誘導線路に対向して前記誘導線路より起電力が誘起されるピックアップコイルを設け、前記コイルに誘起される起電力を、消費電力が変動する負荷へ供給する無接触給電設備の２次側受電回路であって、前記ピックアップコイルに直列に接続され前記誘導線路の周波数に共振する共振回路を形成する共振コンデンサと、前記共振回路に並列に接続され、共振回路により発生する電圧を整流する、第１ダイオードからなる整流回路と、前記負荷に並列に接続されている電圧コンデンサと、一端が前記整流回路の一方の出力端に接続され、他端が前記電圧コンデンサと負荷の接続点に接続されている電流制限用コイルと、前記共振回路に並列に接続されているクランプ用コイルと、アノードが前記クランプ用コイルの中間点に接続され、カソードが前記電流制限用コイルと電圧コンデンサの接続点に接続されている第２ダイオードを備えたことを特徴とするものである。
【０００９】
上記構成によれば、高周波電流が誘導線路に供給されると、この誘導線路に発生する磁束により、ピックアップコイルに誘導起電力が発生し、ピックアップコイルが接続された共振回路より出力された電流は整流回路で整流されて負荷へ供給される。また整流回路に印加される電圧の極性が切り換わる瞬間に、第１ダイオードにリカバリー電流が流れ、ピックアップコイルが接続された共振回路の両端に高電圧が瞬間的に発生しようとするが、この共振回路の電圧は、クランプ用コイルと第２ダイオードが接続されている電圧コンデンサの電圧、すなわち負荷に印加されている直流電圧の２分の１の電圧にクランプされ、共振回路から発生するノイズが抑えられる。
【００１０】
また請求項２に記載の発明は、高周波電流を流す１次側誘導線路に対向して前記誘導線路より起電力が誘起されるピックアップコイルを複数設け、これらピックアップコイルに誘起される起電力を、消費電力が変動する負荷へ供給する無接触給電設備の２次側受電回路であって、前記各ピックアップコイルにそれぞれ直列に接続され前記誘導線路の周波数に共振する共振回路を形成する共振コンデンサと、前記各共振回路の間に直列に接続され、各共振回路間を接続状態または開放状態とする切換手段と、前記共振回路にそれぞれ並列に接続され、共振回路により発生する電圧を整流する、第１ダイオードからなる整流回路と、前記負荷に並列に接続されている電圧コンデンサと、一端が前記各整流回路の一方の出力端を接続した接続点に接続され、他端が前記電圧コンデンサと負荷の接続点に接続されている電流制限用コイルと、前記切換手段を制御することにより、前記負荷に印加される出力電圧を制御する電圧制御手段と、前記切換手段により接続される共振回路群の両端に接続されているクランプ用コイルと、アノードが前記クランプ用コイルの中間点に接続され、カソードが前記電流制限用コイルと電圧コンデンサの接続点に接続されている第２ダイオードを備えたことを特徴とするものである。
【００１１】
上記構成によれば、高周波電流が誘導線路に供給されると、この誘導線路に発生する磁束により、各ピックアップコイルにそれぞれ誘導起電力が発生し、各ピックアップコイルが接続された共振回路より出力された電流は各整流回路で整流されて負荷へ供給される。この負荷が通常負荷状態のとき、各共振回路間に直列に接続された切換手段により各共振回路間は接続状態とされ、各共振回路の整流回路に発生する電圧が加算された電圧で負荷へ供給される。また、負荷が軽負荷状態となると出力電圧が上昇し、その状態に応じて電圧制御手段により共振回路間の切換手段が選択され、選択された切換手段が開放状態とされ、切離された共振回路以外の共振回路の整流回路に発生する電圧で負荷へ供給される。また各整流回路に印加される電圧の極性が切り換わる瞬間に、第１ダイオードにリカバリー電流が流れ、ピックアップコイルが接続された各共振回路の両端に高電圧が瞬間的に発生しようとするが、これら共振回路の電圧は、クランプ用コイルと第２ダイオードが接続されている電圧コンデンサの電圧、すなわち負荷に印加されている直流電圧の２分の１の電圧にクランプされ、これら共振回路から発生するノイズが抑えられる。
【００１２】
また請求項３に記載の発明は、請求項２に記載の発明であって、前記切換手段は、一次側巻線が、前記各共振回路の間に直列に接続されているトランスと、前記トランスの二次側巻線に接続されている整流器と、前記整流器の両出力端間に接続されているスイッチング手段とを備え、前記電圧制御手段は、前記スイッチング手段を開放状態と接続状態することにより、前記負荷に印加される出力電圧を制御することを特徴とするものである。
【００１３】
上記構成によれば、負荷が通常負荷状態のとき、各切換手段のスイッチング手段はオンされ、各共振回路間は直列に接続状態とされ、また負荷が軽負荷状態のとき、電圧制御手段により選択された切換手段のスイッチ手段はオフされ、選択された切換手段により共振回路間が切離される。
【発明の効果】
【００１４】
本発明の無接触給電設備の２次側受電回路は、整流回路に印加される電圧の極性が切り換わる瞬間に、第１ダイオードにリカバリー電流が流れ、ピックアップコイルが接続された共振回路の両端に高電圧が瞬間的に発生しようとするが、この共振回路の電圧は、クランプ用コイルと第２ダイオードが接続されている電圧コンデンサの電圧、すなわち負荷に印加されている直流電圧の２分の１の電圧にクランプされることにより、共振回路から発生するノイズを抑えることができる、という効果を有している。
【発明を実施するための最良の形態】
【００１５】
以下、本発明の実施の形態を図面に基づいて説明する。なお、背景の技術の欄で説明した回路構成と同一の構成には同一の符号を付して説明を省略する。
［実施の形態１］
図１は本発明の実施の形態１における無接触給電設備の２次側受電回路の回路構成図である。
【００１６】
図１に示すように、無接触給電設備の２次側受電回路は、例えば１０ｋＨｚほどの高周波電流を流す１次側誘導線路１に対向して誘導線路１より起電力が誘起されるピックアップコイル２を設け、このピックアップコイル２に誘起される起電力を、消費電力が変動する負荷１０へ供給する回路である。
【００１７】
この２次側受電回路は、直列共振回路４を形成する共振コンデンサ３と、４個の第１ダイオード６ａから形成される整流回路（全波整流回路）６と、電流制限用コイル７と、電圧コンデンサ（出力コンデンサ）８を備え、新たに共振回路４と整流回路６との間に直列に接続されているスイッチ（スイッチング手段の一例）９と、電圧制御器（電圧制御手段の一例）１３と、共振回路４に並列に接続されているクランプ用コイル２１と、アノードがクランプ用コイル２１の中間タップ２１ａに接続され、カソードが電圧コンデンサ８のプラス側端に接続されている第２ダイオード２２を備えている。
【００１８】
電圧制御器１３は、スイッチ９を制御することにより負荷１０に印加される出力電圧ＶＤＣを制御する、すなわち出力電圧ＶＤＣを検出し、この出力電圧ＶＤＣが所定電圧以下では、スイッチ９をオンとして接続状態とし、所定電圧を超えるとスイッチ９をオフして開放状態とする。
【００１９】
以下に、上記２次側受電回路の構成における作用を説明する。
例えば１０ｋＨｚほどの高周波電流が誘導線路１に供給されると、この誘導線路１に発生する磁束により、ピックアップコイル２に誘導起電力が発生し、ピックアップコイル２が接続された共振回路４より出力された電流は整流回路６で整流され負荷１０へ供給される。この負荷１０が通常負荷状態のとき、電圧制御器１３によりスイッチ９はオンとされ、整流回路６の出力電流は電圧コンデンサ８および負荷１０へ供給される。また、負荷１０が軽負荷状態となると出力電圧ＶＤＣが上昇し、その状態に応じて電圧制御器１３によりスイッチ９はオフされ、整流回路６の出力電流は電圧コンデンサ８および負荷１０へ供給されなくなり、電圧コンデンサ８より負荷１０へ供給され、出力電圧ＶＤＣ徐々に低下していき、所定電圧に維持される。
【００２０】
また整流回路６において第１ダイオード６ａに印加される電圧の極性が切り換わる瞬間に、第１ダイオード６ａにリカバリー電流ｉＲが流れ、ピックアップコイル２が接続された共振回路４の両端に高電圧が瞬間的に発生しようとするが、この共振回路４は、共振回路４の一端がクランプ用コイル２１の半分（２分の１）および第２ダイオード２２を介して、電圧コンデンサ８に接続されていることにより、共振回路４の両端電圧は、負荷１０に印加されている直流電圧ＶＤＣの２分の１の電圧にクランプされ、高電圧および振動電圧の発生が抑えられ、よって共振回路４から発生するノイズが抑えられる。
【００２１】
以上のように本実施の形態１によれば、簡単な回路構成により、整流回路６を形成する第１ダイオード６ａに流れるリカバリー電流ｉＲによるノイズの発生を防止でき、周囲の環境を改善でき、またリカバリー電流ｉＲによる高電圧の発生が防止されることによりこの高電圧が印加される各部品（共振コンデンサ３、第１ダイオード６ａ等）の耐圧を低く設定でき、安価な部品とすることができる。
［実施の形態２］
図２は本発明の実施の形態２における無接触給電設備の２次側受電回路の回路構成図である。
【００２２】
図２に示すように、無接触給電設備の２次側受電回路は、例えば１０ｋＨｚほどの高周波電流を流す１次側誘導線路１に対向して誘導線路１より起電力が誘起される第１ピックアップコイル２Ａ，第２ピックアップコイル２Ｂを設け、これら第１ピックアップコイル２Ａ，第２ピックアップコイル２Ｂに誘起される起電力を、消費電力が変動する負荷１０へ供給する回路である。
【００２３】
この２次側受電回路は、各ピックアップコイル２Ａ，２Ｂにそれぞれ直列に接続され誘導線路１の周波数に共振する共振回路４Ａ，４Ｂを形成する第１コンデンサ３Ａ，第２コンデンサ３Ｂと、各共振回路４Ａ，４Ｂの間に直列に接続され、各共振回路４Ａ，４Ｂ間を接続状態または開放状態とする切換回路（切換手段の一例）５と、共振回路４Ａ，４Ｂにそれぞれ並列に接続され、共振回路４Ａ，４Ｂより出力された電流を整流する整流回路６Ａ，６Ｂと、負荷１０に並列に接続されている電圧コンデンサ８と、一端が各整流回路６Ａ，６Ｂのプラス側出力端を接続した接続点に接続され、他端が電圧コンデンサ８と負荷１０の接続点に接続されている電流制限用コイル７と、切換回路５を制御することにより負荷１０に印加される出力電圧ＶＤＣを制御する、すなわち出力電圧ＶＤＣを検出し、この出力電圧ＶＤＣが所定電圧以下では切換回路５により各共振回路４Ａ，４Ｂ間を接続状態とし、所定電圧を超えると切換回路５により各共振回路４Ａ，４Ｂ間を開放状態とする電圧制御器（電圧制御手段の一例）１３と、切換回路５により接続される共振回路４Ａ，４Ｂ群の両端に並列に接続されたクランプ用コイル２１と、アノードがクランプ用コイル２１の中間タップ２１ａに接続され、カソードが電圧コンデンサ８のプラス側端子に接続されている第２ダイオード２２を備えている。また電圧コンデンサ８のマイナス側端子に、各整流回路６Ａ，６Ｂのマイナス側出力端を接続した接続点が接続されている。
【００２４】
また切換回路５は、一次側巻線が、各共振回路４Ａ，４Ｂの間に直列に接続されているトランス３１と、トランス３１の２次巻線の両端に入力端が接続されている整流器３２と、整流器３２のプラス側出力端にアノードが接続され、電圧コンデンサ８のプラス側端子にカソードが接続されているダイオード１１と、整流器３２の両出力端間、すなわちコレクタおよびエミッタが整流器３２の出力端間と接続されている出力調整用トランジスタ（スイッチング手段）１２から構成されている。
【００２５】
なお、電圧制御器１３は、出力電圧ＶＤＣを検出し、この出力電圧ＶＤＣが所定電圧以下のとき出力調整用トランジスタ１２をオンし、所定電圧を超えると出力調整用トランジスタ１２をオフする。
【００２６】
上記実施の形態２における作用を説明する。
負荷１０が通常負荷状態で所定の消費電力を消費しているとき、出力調整用トランジスタ１２はオンされ、トランス３１の２次巻線の短絡されることにより、トランス３１の１次巻線は短絡状態となり、共振回路４Ａ，４Ｂ間が接続状態となる。よって、共振回路４Ａ，４Ｂは直列に接続される。このとき、出力電圧ＶＤＣは所定電圧以下であり、整流回路６Ａ，６Ｂの出力電圧を加算した電圧が負荷１０へ印加される。
【００２７】
ここで、負荷１０が減少し、出力電圧ＶＤＣが上昇した場合、電圧制御器１３は、この上昇した出力電圧ＶＤＣが所定電圧を超えたと判断されると、出力調整用トランジスタ１２をオフされ、トランス３１の１次巻線のインダクタンスが共振回路４Ａ，４Ｂ間に挿入され、共振回路４Ａ，４Ｂ間が開放状態となる。このように、負荷１０が軽負荷状態のとき、出力調整用トランジスタ１２はオフされると、共振回路４Ａ，４Ｂ間は切り離されて、整流回路６Ａと整流回路６Ｂは並列に接続された状態となり、負荷１０へ印加される電圧は２分の１に低下する。すると、出力電圧ＶＤＣは低下し、出力電圧ＶＤＣは所定電圧に維持される。
【００２８】
また各整流回路６Ａ，６Ｂにおいて第１ダイオード６ａに印加される電圧の極性が切り換わる瞬間に、第１ダイオード６ａにリカバリー電流ｉＲが流れ、ピックアップコイル２Ａ，２Ｂが接続された共振回路４Ａ，４Ｂの両端に高電圧が瞬間的に発生しようとするが、これら共振回路４Ａ，４Ｂ群の一端がクランプ用コイル２１の半分（２分の１）および第２ダイオード２２を介して、電圧コンデンサ８に接続されていることにより、共振回路４Ａ，４Ｂの両端電圧は、負荷１０に印加されている直流電圧ＶＤＣの２分の１の電圧にクランプされ、高電圧および振動電圧の発生が抑えられ、よって共振回路４Ａ，４Ｂから発生するノイズが抑えられる。なお、共振回路４Ａ，４Ｂ間が切り離されているとき、負荷１０へ印加される電圧は通常の２分の１に低下することから、第１ダイオード６ａにリカバリー電流ｉＲが流れたとき、さらにその半分、通常の４分の１の電圧にクランプされる。
【００２９】
以上のように本実施の形態２によれば、簡単な回路構成により、整流回路６Ａ，６Ｂを形成する第１ダイオード６ａに流れるリカバリー電流ｉＲによるノイズの発生を防止でき、周囲の環境を改善でき、またリカバリー電流ｉＲによる高電圧の発生が防止されることによりこの高電圧が印加される各部品（共振コンデンサ３、第１ダイオード６ａ等）の耐圧を低く設定でき、安価な部品とすることができる。
【００３０】
なお、実施の形態２では、２つの共振回路４Ａ，４Ｂおよび整流回路６Ａ，６Ｂと、１つの切換回路５およびクランプ用コイル２１および第２ダイオード２２を備えているが、これら構成と同じ「２つの共振回路４Ａ，４Ｂおよび整流回路６Ａ，６Ｂと１つの切換回路５およびクランプ用コイル２１および第２ダイオード２２」の組を別途、単数あるいは複数設けて、これら複数の組により、１つの電圧コンデンサ８および負荷１０へ給電する構成とすることも可能である。
［実施の形態３］
図３は本発明の実施の形態３における無接触給電設備の２次側受電回路の回路構成図である。
【００３１】
本実施の形態３は、上記実施の形態２の共振回路４Ａ，４Ｂに、さらに第３ピックアップコイル２Ｃと第３コンデンサ３Ｃから形成される共振回路４Ｃが直列に接続され、トランス４１の１次側巻線が各共振回路４の間（共振回路４Ａと共振回路４Ｂの間、および共振回路４Ｂと共振回路４Ｃの間）に絶縁された状態で接続された構成の２次側受電回路である。以下、実施の形態２と異なる部分に着目して説明する。なお、共振回路４Ｃには、他の共振回路４Ａ，４Ｂと同様に、共振回路４Ｃより出力された電流を整流し、消費電力が変動する負荷１０へ給電する整流回路６Ｃが並列に接続されている。またクランプ用コイル２１は、切換回路５により接続される共振回路４Ａ，４Ｂ，４Ｃ群の両端に並列に接続されている。
【００３２】
切換回路５は、図３に示すように、一次側巻線が、共振回路４Ａと共振回路４Ｂの間、および共振回路４Ｂと共振回路４Ｃの間に直列に接続されているトランス４１と、トランス４１の２次側に入力端が接続されている整流器４２と、整流器４２のプラス側出力端にアノードが接続され、電圧コンデンサ８のプラス側端にカソードが接続されているダイオード１１と、整流器４２の両出力端間、すなわちコレクタおよびエミッタが整流器４２の出力端間と接続されている出力調整用トランジスタ（スイッチング手段）１２から構成されている。
【００３３】
なお、電圧制御器１３は、出力電圧ＶＤＣを検出し、この出力電圧ＶＤＣが所定電圧以下のとき出力調整用トランジスタ１２をオンし、所定電圧を超えると出力調整用トランジスタ１２をオフする。
【００３４】
以下に、上記した実施の形態２における作用を説明する。
負荷１０が通常負荷状態で所定の消費電力を消費しているとき、出力調整用トランジスタ１２はオンされ、トランス４１の２次巻線が短絡されて共振回路４Ａ，４Ｂ間および共振回路４Ｂ，４Ｃ間が接続状態となり、整流回路６Ａ，６Ｂ，６Ｃの出力電圧を加算した電圧が負荷１０へ印加される。
【００３５】
ここで、負荷１０が減少し、出力電圧ＶＤＣが上昇し、電圧制御器１３は、この上昇した出力電圧ＶＤＣが所定電圧を超えたと判断すると、出力調整用トランジスタ１２をオフにする。このように、負荷１０が軽負荷状態のとき、出力調整用トランジスタ１２はオフされ、共振回路４Ａ，４Ｂ間および共振回路４Ｂ，４Ｃ間にトランス４１の１次巻線のインダクタンスが挿入され、開放状態となるため、各共振回路４Ａ，４Ｂ，４Ｃは切離され、負荷１０へ印加される電圧は、共振回路４Ａに発生する電圧に低下する（各共振回路４Ａ，４Ｂ，４Ｃに発生する電圧が同一のときは３分の１に低下する）。すると、出力電圧ＶＤＣは低下し、出力電圧ＶＤＣは所定電圧に維持される。
【００３６】
また各整流回路６Ａ，６Ｂ，６Ｃにおいて第１ダイオード６ａに印加される電圧の極性が切り換わる瞬間に、第１ダイオード６ａにリカバリー電流ｉＲが流れ、ピックアップコイル２Ａ，２Ｂ，２Ｃが接続された共振回路４Ａ，４Ｂ，４Ｃの両端に高電圧が瞬間的に発生しようとするが、これら共振回路４Ａ，４Ｂ，４Ｃの一端がクランプ用コイル２１の半分（２分の１）および第２ダイオード２２を介して、電圧コンデンサ８に接続されていることにより、共振回路４Ａ，４Ｂ，４Ｃの電圧は、負荷１０に印加されている直流電圧ＶＤＣの２分の１の電圧にクランプされ、高電圧および振動電圧の発生が抑えられ、よって共振回路４Ａ，４Ｂ，４Ｃから発生するノイズが抑えられる。なお、共振回路４Ａ，４Ｂ，４Ｃ間が切り離されると、負荷１０へ印加される電圧は通常の３分の１に低下することから、第１ダイオード６ａにリカバリー電流ｉＲが流れたとき、さらにその半分、通常の６分の１の電圧にクランプされる。
【００３７】
以上のように本実施の形態３によれば、簡単な回路構成により、整流回路６Ａ，６Ｂ，６Ｃを形成する第１ダイオード６ａに流れるリカバリー電流ｉＲによるノイズの発生を防止でき、周囲の環境を改善でき、またリカバリー電流ｉＲによる高電圧の発生が防止されることによりこの高電圧が印加される各部品（共振コンデンサ３、第１ダイオード６ａ等）の耐圧を低く設定でき、安価な部品とすることができる。
【００３８】
なお、実施の形態３では、３つの共振回路４Ａ，４Ｂ，４Ｃおよび整流回路６Ａ，６Ｂ，６Ｃと、１つの切換回路５およびクランプ用コイル２１および第２ダイオード２２を備えているが、これら構成と同じ「３つの共振回路４Ａ，４Ｂ，４Ｃおよび整流回路６Ａ，６Ｂ，６Ｃと１つの切換回路５およびクランプ用コイル２１および第２ダイオード２２」の組を別途、単数あるいは複数設けて、これら複数の組により、１つの電圧コンデンサ８および負荷１０へ給電する構成とすることも可能である。
【００３９】
また本実施の形態２，３では、切換回路５をトランス３１，４１と整流器３２，４２と出力調整用トランジスタ１２とダイオード１１により構成しているが、切換回路５を、電圧制御器１３により動作されるスイッチにより構成することもできる。電圧制御器１３は、出力電圧ＶＤＣが所定電圧を超えたと判断すると、スイッチをオフとして、共振回路４Ａ，４Ｂ，４Ｃ間を切り離す。
【図面の簡単な説明】
【００４０】
【図１】本発明の実施の形態１における無接触給電設備の２次側受電回路の回路図である。
【図２】本発明の実施の形態２における無接触給電設備の２次側受電回路の回路図である。
【図３】本発明の実施の形態３における無接触給電設備の２次側受電回路の回路図である。
【図４】従来の無接触給電設備の２次側受電回路の回路図、および課題を説明するための波形図である。
【符号の説明】
【００４１】
１    誘導線路
２，２Ａ，２Ｂ，２Ｃ  ピックアップコイル
３，３Ａ，３Ｂ，３Ｃ  コンデンサ（共振コンデンサ）
４，４Ａ，４Ｂ，４Ｃ  共振回路
５    切換回路
６，６Ａ，６Ｂ，６Ｃ  整流回路
６ａ  第１ダイオード
７    電流制限用コイル
８    電圧コンデンサ（出力コンデンサ）
９    スイッチ（スイッチング手段）
１０  負荷
１１  ダイオード
１２  出力調整用トランジスタ（スイッチング手段）
１３  電圧制御器（電圧制御手段）
２１  クランプ用コイル
２１ａ  中間タップ
２２  第２ダイオード
３１，４１  トランス
３２，４２  整流器
【図１】
2008271658.tif 000003
【図２】
2008271658.tif 000004
【図３】
2008271658.tif 000005
【図４】
2008271658.tif 000006